(57)【要約】      （修正有）【課題】簡易な構造で感知したい震度を簡単に設定でき、設定した震度以上の地震に対してのみ感知し、作動する振動スイッチ及びそれを使用した音声出力装置を提供する。【解決手段】中央に凹部１３を有する台座３と、台座３上に載置され、振動によって自在に転動する金属球２と、金属球２の重さを検知し、ＯＮ／ＯＦＦの動作をするスイッチ４と、台座３、金属球２、スイッチ４とを気密に封止するキャップ８とを備えた振動スイッチにおいて、台座３の下方にマグネット５を設け、キャップ８の内周下端部において雌ネジ１０が形成されていること、マグネット５はキャップ８の内周とほぼ同径の円盤状に形成され、外周には雄ネジ１１が形成されていること、雌ネジ１０と雄ネジ１１とは螺合していて、マグネット５を回転させることにより、マグネット５がキャップ８の内周に沿って上下に移動できるように形成されている。【選択図】図２
0003203698.tif 000002
【実用新案登録請求の範囲】
【請求項１】
中央部に凹部を有する台座と、
該台座の上に載置され、振動によって自在に転動する金属球と、
前記金属球の重さを検知し、ON／OFFの動作をするスイッチと、
前記台座、前記金属球及び前記スイッチとを気密に封止するキャップとを備えた振動スイッチにおいて、
前記台座の下方にマグネットを設けた、
ことを特徴とする振動スイッチ。
【請求項２】
前記キャップは天上が閉塞され、下方が開放された略円筒状に形成され、内周下端部において雌ネジが形成されていること、
前記マグネットは、前記キャップの内周とほぼ同径の円盤状に形成され、外周には雄ネジが形成されていること、
及び前記キャップの内周雌ネジと前記マグネットの外周雄ネジとは螺合していて、前記マグネットを回転させることにより、当該マグネットがキャップ内周に沿って上下に移動できるように形成されている、
ことを特徴とした請求項１に記載の振動スイッチ。
【請求項３】
前記マグネットの底面には、メモリが記されており、
前記キャップの底面には、上記メモリを合わせるマークが記されている、
ことを特徴とした請求項１又は２に記載の振動スイッチ。
【請求項４】
前記台座と前記マグネットの間には、隔壁が形成されている、
ことを特徴とした請求項１から３までのいずれか１項に記載の振動スイッチ。
【請求項５】
前記マグネットの底面には、回転用の取っ手である凸部又は溝である凹部が形成されている、
ことを特徴とした請求項１から４までのいずれか１項に記載の振動スイッチ。
【請求項６】
請求項１から５までのいずれか１項に記載の振動スイッチと接続された導通・非導通検出手段及び避難警告、避難方法又は避難経路の第１の記録情報を記録した記憶媒体を内部に備え、前記振動スイッチが振動を検知すると当該第１の記録情報を音声出力する、
ことを特徴とする音声出力装置。
【請求項７】
前記音声出力装置は、音楽若しくは商品又は役務のコマーシャルの第２の記録情報を記録した記憶媒体を備えていて、前記振動スイッチが振動を検知しない時は、前記第２の記録情報を音声出力する、
ことを特徴とする請求項６に記載の音声出力装置。
【請求項８】
前記記憶媒体は、第１の記録情報及び前記第２の記録情報をインターネット回線を通して書き換え可能である、
ことを特徴とする請求項６又は７に記載の音声出力装置。
【考案の詳細な説明】
【技術分野】
【０００１】
本考案は、振動スイッチ及び振動スイッチを使用した音声出力装置に関するものであり、特に地震が起こった際の避難喚起・避難指示を行う音声出力装置又は自動放送器を作動させる振動スイッチに関する。  
【背景技術】
【０００２】
昨今、地震に対する対策が必要とされる中、様々な避難誘導装置等が開発されているが、構造が複雑なため高価であり、小規模な事業所等においては避難誘導装置を設置しているところは少ない。また、そのような事業所等は人員の都合もあり、大型地震に対する緊急対策はほとんどなされていなのが現状である。
【０００３】
さらに、避難誘導装置は、地震時に自動的にスイッチがオンになるものが望ましく、従来より、石油ファンヒータ等の転倒・地震時の自動消火装置の検出用として振動スイッチが使用されている。この種のスイッチとして、例えば、特開平０６−０５２７６３のような転倒・感震スイッチが挙げられる。
【先行技術文献】
【特許文献】
【０００４】
【特許文献１】特開平０６−０５２７６３
【０００５】
上記特許文献１では、ボディの中央部が低くなった凹部の中央部に２枚の端子板を対向して配置し、２枚の端子板の対向内縁を略同一円軌跡上に位置させて両端子板間に隙間を形成し、ボディにキャップを被せてボディとキャップとで構成する空所内に遊動自在に導電性の球を入れ、球を対向する端子板の内周縁に載置して球を介して端子板同士を電気的に接続している。そして、端子板の内周の径を変えることによって機器の傾き、振動に対するスイッチ感度を調節するようにしている。
【０００６】
しかしながら、上記転倒・感震スイッチでは、避難する必要もない震度の小さい地震に対しても検知することがあり、避難誘導装置に採用した場合、不要な避難誘導を始めてしまうおそれがあり煩わしい。また、感度の調節についても製造時に行はなければならず、製造後は調節することができないことに加え、具体的な震度に応じた細かな調整は難しい。
【考案の概要】
【考案が解決しようとする課題】
【０００７】
本考案は上記従来技術の課題を解決するもので、金属球の台座の下方にマグネットを設けるという簡易な構造で、震度の小さい地震に対しては感知しないようにできるとともに、マグネットと金属球の距離をいつでも簡単に調整できるようにした安価な振動スイッチ及びそれを使用した音声発生装置を提供するものである。
【課題を解決するための手段】
【０００８】
上記解題を解決するために、本考案に係る振動スイッチの第１の特徴は、中央部に凹部を有する台座と、該台座の上に載置され、振動によって自在に転動する金属球と、前記金属球の重さを検知し、ON／OFFの動作をするスイッチと、前記台座、前記金属球及び前記スイッチとを気密に封止するキャップとを備えた振動スイッチにおいて、前記台座の下方にマグネットを設けたことを特徴とするものである。
【０００９】
また、本考案に係る振動スイッチの第２の特徴は、前記第１の特徴における前記キャップが天上において閉塞され、下方が開放された略円筒状に形成され、内周下端部において雌ネジが形成されていること、前記マグネットは、前記キャップの内周とほぼ同径の円盤状に形成され、外周には雄ネジが形成されていること、及び前記キャップの内周雌ネジと前記マグネットの外周雄ネジとは螺合していて、前記マグネットを回転させることにより、当該マグネットがキャップ内周に沿って上下に移動できるように形成されていることを特徴とするものである。
【００１０】
さらに、本考案に係る振動スイッチの第３の特徴は、前記第１又は２の特徴における前記マグネットの底面にメモリが記されており、前記キャップの底面には、上記メモリを合わせるマークが記されていることを特徴とするものである。
【００１１】
さらにまた、本考案に係る振動スイッチの第４の特徴は、前記第１、２又は３のいずれかの特徴における前記台座と前記マグネットの間に、隔壁が形成されていることを特徴とするものである。
【００１２】
また、本考案に係る振動スイッチの第５の特徴は、前記第１、２、３又は４のいずれかの特徴における前記マグネットの底面に、回転用の取っ手である凸部又は溝である凹部が形成されていることを特徴とするものである。
【００１３】
さらに、本考案に係る音声発生装置の第１の特徴は、前記第１から５までのいずれか１の特徴を有する振動スイッチと接続された導通・非導通検出手段及び避難警告、避難方法又は避難経路の第１の記録情報を記録した記憶媒体を内部に備え、前記振動スイッチが振動を検知すると当該第１の記録情報を音声出力することを特徴とするものである。
【００１４】
さらにまた、本考案に係る音声発生装置の第２の特徴は、前記第１の特徴における前記音声出力装置が、音楽若しくは商品又は役務のコマーシャルの第２の記録情報を記録した記憶媒体を備えていて、前記振動スイッチが振動を検知しない時は、前記第２の記録情報を音声出力することを特徴とするものである。
【００１５】
また、本考案に係る音声発生装置の第３の特徴は、前記第１又は２の特徴における前記記憶媒体が、第１の記録情報及び前記第２の記録情報をインターネット回線を通して書き換え可能であることを特徴とするものである。
【考案の効果】
【００１６】
本考案に係る振動スイッチによれば、感知したい震度を自ら簡単に設定できるとともに、設定した震度以下の地震に関しては感知しないので、不要な緊急避難放送を回避することができる。また、当該振動スイッチは簡易な構造なので、それを利用した音声発生装置全体のコストを下げることができ、小規模事業所等にとっても大規模地震に対する対策を普及することが可能となる。
【図面の簡単な説明】
【００１７】
【図１】図１は本考案に係る振動スイッチの内部構造を示す説明図である。
【図２】図２は本考案に係る振動スイッチの断面図である。
【図３】図３は本考案に係る傾斜スイッチの低面図である。
【考案を実施するための形態】
【００１８】
以下、図を参照して、本考案の実施形態を説明する。
【００１９】
図中、１は本考案に係る振動スイッチであり、振動スイッチ１は地震による振動により自在に転動する金属球２、金属球２を載置する台座３、金属球２の転動により作動するスイッチ４、台座３の下方に設けられたマグネット５及びそれらを被覆するキャップ８により大略構成される。
【００２０】
本実施例においては、キャップ８は天上が閉塞された略円筒状の絶縁性部材で形成されており、台座３及びマグネット５は、その内径に沿って円盤状に形成されている。台座３は絶縁性部材で形成されており、キャップ８の内周とほぼ同径に形成されている。台座３の上面中心には、凹部１３が形成されていて、通常金属球２が静止状態の時には、凹部１３に収まった状態となっている。さらに、凹部１３の中心部には台座３を貫通する突起７が設けられており、突起７はスイッチ４と接続されている。
【００２１】
スイッチ４は、金属球２の重みにより突起７が下方に押されて、スイッチ４内の接点同市が接続することによって導通状態となる。すなわち、通常時においては、スイッチ４は導通していて、想定した震度以上の地震の揺れを感じた場合、金属球２が転動して突起上の重みがなくなることにより、接点が開いて非導通状態となる。スイッチ４は、リード線（図示せず）を介して音声出力装置（図示せず）と接続されており、当該音声出力装置内に設けられた導通・非導通検出手段により、非導通状態を検出した場合、当該音声出力装置が作動するように構成されている。
【００２２】
マグネット５は、図示の例では台座３及びスイッチ４の下方に隔壁１４を隔てて設けられており、金属球２、台座３、スイッチ４は、耐久性や感度の精度等の観点からキャップ８で覆われた気密にされた空間にある。一方で、マグネット５は、外部から操作する必要があることから、その下方は開放されている。
【００２３】
マグネット５の外周には、雄ネジ１１が形成されているとともに、キャップ８の下端部内周にも雌ネジ１０が形成されていて、雄ネジ１１と雌ネジ１０は互いに螺合しており、マグネット５の下面に形成された取っ手９をつまんでマグネット５を回転させることにより、マグネット５がキャップ８内で上下に動くように形成されている。雄ネジ１１は、マグネット５の外周に直接刻設されるほか、雄ネジが刻設された部材をマグネット５の外周に嵌めて形成してもよい。また、取っ手９は、マグネット５を回転させるために本実施例では凸状に形成されているが、溝として凹状に形成されてもよく、その場合、指やコイン等を押し付けてマグネット５を回転させる。
【００２４】
マグネット５の底面には、揺れの大きさに応じたメモリが記されているとともに、キャップ８の底面にはマーカー１２が記されていて、このマーカー１２に前記メモリを合わせることにより、マグネット５と金属球２との距離を調整し、揺れの大きさに応じた金属球２に対するマグネット５の引力（磁力）を確保する。例えば、図３の５００の数字をマーカー１２に合わせた場合、５００ガルの相当以上の揺れが生じた場合に金属球２が凹部１３から飛び出し、音声出力装置内の導通・非導通検出手段がそれを感知して音声出力装置が地震の注意及び避難指示を行う。７００の数字をマーカー１２に合わせた場合には、７００ガルの相当以上の揺れが生じた場合にはじめて金属球２が凹部１３から飛び出して音声出力装置が作動して避難指示に関する音声を出力し、それよりも小さな揺れの場合には金属球２は凹部１３内に留まり、音声出力装置は避難指示に関する音声を出力することはない。金属球２は、マグネット５との関連で磁石に引き寄せられる材質で形成され、特に鉄又は鋼の材質で形成されていることが望ましい。
【００２５】
音声出力装置には、あらかじめ避難警告や避難方法、避難経路などの音声が第１の記録情報として記録されていて、地震の振動により金属球２が凹部１３から移動するのを感知すると、前記第１の記録情報の音声を出力して避難誘導を行う。また、第１の記録情報に加え、ＢＧＭに使用する音楽や事業所等の商品又は役務のコマーシャル等を記録した第２の記録情報も備えており、金属球２が凹部１３に収まっている平常時には、当該第２の記録情報の音声を出力して使用することができる。前記第１及び第２の記録情報は、インターネット回線を通して書き換え可能なハードディスク等の記録媒体に記録されている。
【００２６】
本発明によれば、金属球２がマグネット５に引きつけられるため、設定した震度よりも低い地震を感知することがなくなり、それに接続された音声出力装置も不必要に作動することがなく、地震時または地震後の不要な心配や避難をすることがない。
【００２７】
また、マグネット５の位置を容易に変えることができるため、振動に対する感度を調整することが可能となり、自らが避難等の対処が必要と思わる震度に対してだけ、振動スイッチ及び音声出力装置が作動するように設定可能である。
【００２８】
さらに、本発明に係る振動スイッチ１は構造が簡単であるため、製造コストを低く抑えることができ、同スイッチを利用した音声出力装置を安価に提供することが可能となり、このような音声出力装置を導入することが出来なかった事業所等にも普及が可能である。このため、小規模な事業所であっても、緊急時対策をとることができる。
【符号の説明】
【００２９】
１          振動スイッチ
２          金属球
３          台座
４          スイッチ
５          マグネット
６          取付片
７          突起
８          キャップ
９          回転支点部
１０          キャップネジ部
１１          マグネットネジ部
１２          マーカー
１３          凹部
１４          隔壁
【図１】
0003203698.tif 000003
【図２】
0003203698.tif 000004
【図３】
0003203698.tif 000005